(57)【要約】【課題】ストロボ発光管と、ストロボ発光管とは異なる発光部をストロボユニット内に効率良く配置し、ストロボユニットの小型化およびデザインの自由度を増すことのできる、ストロボ内蔵式カメラを提供すること。【解決手段】カメラ本体に対して、収納位置と発光位置とに移動可能に支持されるストロボユニット内に、直径方向寸法よりも中心軸方向寸法が大きい略円筒形状のストロボ発光管を有するストロボ内蔵式カメラにおいて、直径方向寸法よりも中心軸方向寸法が大きい、前記ストロボ発光管とは異なる略円筒形状の発光部を、前記ストロボ発光管の中心軸方向と該発光部の中心軸方向が略平行となるように配置した。【選択図】　　　図３
2004102155.tif 000002
【特許請求の範囲】
【請求項１】
カメラ本体に対して、収納位置と発光位置とに移動可能に支持されるストロボユニット内に、直径方向寸法よりも中心軸方向寸法が大きい略円筒形状のストロボ発光管を有するストロボ内蔵式カメラにおいて、直径方向寸法よりも中心軸方向寸法が大きい、前記ストロボ発光管とは異なる略円筒形状の発光部を、前記ストロボ発光管の中心軸方向と該発光部の中心軸方向が略平行となるように設けたことを特徴とするストロボ内蔵式カメラ。
【請求項２】
前記カメラ本体に対して前記ストロボユニットは所定の軸を中心とした回転運動を行って収納位置と発光位置との移動が可能であり、前記所定の軸と、前記ストロボ発光管と前記発光部の中心軸方向が略平行に配置されていることを特徴とする、請求項１記載のストロボ内蔵式カメラ。
【請求項３】
撮影光束を接眼部へ導くための光学部材を有し、前記ストロボユニットは前方にストロボパネルを有し、前記ストロボユニットは収納位置において、前記ストロボ発光管と前記発光部とは、前記カメラの全高と略同一の高さの水平面より下方で、前記光学部材と前記ストロボパネルと前記水平面とで囲まれる略三角形の領域に位置することを特徴とする、請求項１、２記載のストロボ内蔵式カメラ。
【請求項４】
前記ストロボ発光管は、前記ストロボユニットが発光位置に移動した際に、前記発光部よりも上方に位置することを特徴とする、請求項３記載のストロボ内蔵式カメラ。
【請求項５】
前記ストロボパネルは、前記ストロボユニットが収納位置に移動した際に、被写体側から視認可能に露出していることを特徴とする請求項３、４、５のストロボ内蔵式カメラ。
【請求項６】
前記発光部は、ストロボ撮影時に発生する赤目軽減ランプとして機能することを特徴とする請求項３、４、５のストロボ内蔵式カメラ。
【請求項７】
前記発光部は、セルフタイマー撮影時に、セルフタイマー動作を表示することを特徴とする請求項３、４、５、６のストロボ内蔵式カメラ。
【発明の詳細な説明】
【０００１】
【発明の属する技術分野】
本発明は、カメラにおいてストロボ撮影を行うためのストロボユニットを内蔵しているストロボ内蔵式カメラに関する。
【０００２】
【従来の技術】
従来、ストロボ内蔵式カメラにおいては、ストロボ発光管を含むストロボユニットを、リトラクタブル機構あるいはポップアップ機構などによりカメラ本体内の収納位置とカメラ本体から突出した発光位置とに移動可能に支持するものがある。
【０００３】
ストロボ発光管からの光でストロボ撮影を行うにあたって、人物を近距離で正面からカラー撮影する場合に、人物の瞳孔が赤く再現されるという、いわゆる赤目現象を生じるおそれがあることは周知の通りである。このような赤目現象はカメラの撮影レンズとストロボ発光管との光軸が近似している場合に著しく、これを防止するためにこれら撮影レンズ、ストロボ発光管間の間隔を極力大きくすることが必要である。
【０００４】
しかし、ストロボ発光管を含むストロボユニットを移動させて撮影レンズとの間隔を大きくしただけでは、前述した赤目現象の発生を避けることが困難である場合もある。このため、この種のストロボ内蔵式カメラにおいて、カメラ本体の前面側やストロボ発光管近傍に赤目軽減ランプを別個に設け、この赤目軽減ランプをストロボ発光前に被写体に向けてプリ照射を行って被写体の瞳孔の大きさを絞り、その後にストロボ発光を行わせて撮影を行うようにしたものが知られている。
【０００５】
【発明が解決しようとする課題】
しかしながら、上述したようなストロボ内蔵式カメラにおいて、上述したような赤目軽減ランプとなる発光部を配置するにあたって、その配置個所が問題となっている。すなわち、撮影者が撮影時にカメラを保持した際に、撮影者の手の陰にならない位置に配置する必要があるためである。このため、ストロボ発光管の横に隣接してストロボユニット内に配置する、ことが考えられている。
【０００６】
この構成を持つ従来のストロボ内蔵式カメラの斜視図を図７に示す。図７において、５１はカメラ本体、５２はストロボユニットであり、５３はストロボカバー、５４はストロボケース、５５はストロボパネルである。
【０００７】
図８は、図７に示すストロボユニット５２の内部を示す上面図である。図８において、５６はストロボ発光管であるキセノン管、５７はキセノン管５６の発光を反射集光する反射笠、５８は赤目軽減ランプを示す。
【０００８】
しかし、上記の従来の構成では、ストロボユニットの幅方向においての大型化を招き、特にストロボユニットを収納位置と発光位置とに移動させる構成においては、収納位置でのカメラ本体とのバランスを損ねることや、カメラ全体のデザインに対して制約を加える可能性がある、という問題点がある。
【０００９】
本発明は、このような従来のストロボ内蔵式カメラの問題を解消するためになされたものであり、ストロボ発光管と、ストロボ発光管とは異なる発光部をストロボユニット内に効率良く配置し、ストロボユニットの小型化およびデザインの自由度を増すことのできる、ストロボ内蔵式カメラを提供することを目的とする。
【００１０】
【課題を解決するための手段】
前述の目的を達成するために、請求項１に示す本発明は、カメラ本体に対して、収納位置と発光位置とに移動可能に支持されるストロボユニット内に、直径方向寸法よりも中心軸方向寸法が大きい略円筒形状のストロボ発光管を有するストロボ内蔵式カメラにおいて、直径方向寸法よりも中心軸方向寸法が大きい、前記ストロボ発光管とは異なる略円筒形状の発光部を、前記ストロボ発光管の中心軸方向と該発光部の中心軸方向が略平行となるように設けたことにある。本発明のストロボユニットによれば、略円筒形状のストロボ発光管と、略円筒形状のストロボ発光管とは異なる発光部を略平行に設けたことにより、効率良く配置することが可能となり、ストロボユニットの小型化を実現することが可能となる。
【００１１】
請求項２に示す発明は、前記カメラ本体に対して前記ストロボユニットは所定の軸を中心とした回転運動を行って収納位置と発光位置との移動が可能であり、前記所定の軸と、前記ストロボ発光管と前記発光部の中心軸方向が略平行に配置されていることを特徴としている。本発明のストロボユニットによれば、回転移動するストロボユニットの幅方向の小型化とデザインの自由度を増すことが可能となる。
【００１２】
請求項３に示す発明は、撮影光束を接眼部へ導くための光学部材を有し、前記ストロボユニットは前方にストロボパネルを有し、前記ストロボユニットは収納位置において、前記ストロボ発光管と前記発光部とは、前記カメラの全高と略同一の高さの水平面より下方で、前記光学部材と前記ストロボパネルと前記水平面とで囲まれる略三角形の領域に位置することを特徴としている。本発明のストロボユニットによれば、ストロボ発光管と、ストロボ発光管とは異なる発光部を、前記の略三角形の領域に効率良く配置することにより、ストロボユニットの小型化とデザインの自由度を増すことが可能となる。
【００１３】
請求項４に示す本発明は、前記ストロボ発光管は、前記ストロボユニットが発光位置に移動した際に、前記発光部よりも上方に位置することを特徴としている。本発明のストロボユニットによれば、ストロボ発光管をストロボ発光管とは異なる発光部よりも上方の位置で発光させることにより、ストロボ撮影時に発生する赤目現象の低減を図ることが可能となる。
【００１４】
請求項５に示す本発明は、前記ストロボパネルは、前記ストロボユニットが収納位置に移動した際に、被写体側から視認可能に露出していることを特徴としている。本発明のストロボユニットによれば、ストロボパネル内の発光部の発光をカメラ動作の表示として用いる場合において、ストロボユニットが収納位置に移動した際においても、発光部の発光を確認することが可能となる。
【００１５】
請求項６に示す本発明は、前記発光部は、ストロボ撮影時に発生する赤目軽減ランプとして機能することを特徴とする。本発明のストロボユニットによれば、ストロボ撮影時に発生する赤目を低減することが可能となる。
【００１６】
請求項７に示す本発明は、前記発光部は、セルフタイマー撮影時に、セルフタイマー動作を表示することを特徴とする。本発明のストロボユニットによれば、セルフタイマー撮影時において、ストロボユニットが収納位置に移動した際においても、発光部の発光を確認しセルフタイマー動作を確認することが可能となる。
【００１７】
【発明の実施の形態】
以下、本発明の一実施例を図面に基づいて詳細に説明する。これは一眼レフカメラに適用した例である。図１は本発明の一実施例に係わるカメラの正面図である。図２は、図１に示すカメラの側面図である。図３は、図１に示すカメラのストロボユニットの構成を示す斜視図である。図４は、図１に示すカメラのストロボユニットの内部を示す上面図である。図５は図１に示すカメラのストロボユニットが収納位置に位置する状態の中央縦断面図である。図６は、図１に示すカメラのストロボユニットが発光位置に位置する状態の中央縦断面図である。
【００１８】
図１、２において、１はカメラ本体を示す。２はストロボユニット、３は外観部品であるストロボカバー、４はストロボパネルである。
【００１９】
ストロボユニット２は図３、４に示すように構成されている。先ず、ストロボユニット２の基本構造体であるストロボケース５は、支持軸１０ａと１０ｂに連結して上カバー３０に回転可能に支持され、支持軸１０ａと１０ｂを回転中心とする回転運動により図５で示す収納位置と図６で示す発光位置との間をアップダウン動作可能としている。
【００２０】
ストロボユニット２は、バネ１１により発光位置方向に付勢されていて（図３・４参照）、収納位置では、緊定フック１２により保持される。ストロボユニットを発光位置に移動させる際には、不図示のソレノイドに通電することにより、緊定フック１２を退避させることで収納位置での保持を解除し、バネ１１の付勢力によりアップ動作を行う。また、この構成においては収納位置でのバネ１１のバネ力によるストロボケース５の捩れを低減させるために、図４に示すように、バネ１１と緊定フック１２はストロボユニット２の中心に対して同じ側にあることが好ましい。
【００２１】
ストロボ発光ユニット２０（図３参照）は、ストロボ発光管であるキセノン管２１とストロボ反射笠２２とストロボパネル４で構成している。キセノン管２１は、直径方向寸法よりも中心軸方向寸法が大きい略円筒形状であり、支持軸１０ａと１０ｂからなる回転軸方向と略平行にその中心軸が配置される。２３はトリガーコイルである。キセノン管２１とトリガーコイル２３は各々２本の不図示のリード線でカメラ本体内１の不図示の制御回路に接続され、トリガーコイル２３が発する発光トリガー信号は直接ストロボ反射笠２２に接続されている。
【００２２】
ストロボ発光ユニット２０は、ストロボケース５に設けられた取り付け穴１３を通してストロボケース５とストロボカバー３が固定されることで、位置決め保持される。
【００２３】
２４は赤目軽減ランプ（発光部）である。赤目軽減ランプ２４は、直径方向寸法よりも中心軸方向寸法が大きい略円筒形状であり、直径方向寸法よりも中心軸方向寸法が大きい略円筒形状であるキセノン管２１と、略平行に設けられる。
【００２４】
ストロボパネル４は、キセノン管２１と赤目軽減ランプ２４の両方の発光を透過するよう、一体的に形成されている。さらに図５に示すように、ストロボユニット２は収納位置に位置している際には、被写体側から直接視認可能であり、図６に示すように、ストロボユニット２は発光位置に位置している際には、被写体とキセノン管２１を結ぶ直線に対して略鉛直に位置するよう設けられている。
【００２５】
図５、６において、３１はペンタダハミラーであり、不図示の撮影レンズを透過し主ミラー３２で反射させた被写体光を、左右反転し前方へ導く。ペンタダハミラー３１で前方へ導かれた該被写体光を、第３反射面３３で接眼部３４へ向けて反射する。
【００２６】
キセノン管２１およびキセノン管２１と略平行に設けられた赤目軽減ランプ２４は、ペンタダハミラー３１の前方でかつ、カメラ本体１の全高となる上カバー３０の最大突出部を含む水平面よりも下方に位置、更に前方に位置するストロボパネル４の後方、即ち前記光学部材と前記ストロボパネルと前記水平面とで囲まれる略三角形の領域に位置する。
【００２７】
また、本実施例では、上記略三角形の領域に、キセノン管２１と赤目軽減ランプ２４に加えて、トリガーコイル２３を設けることで、略三角形の領域に対してより一層効率的な配置としている。
【００２８】
図６において、１４はガイドアームであり、前端を上カバー３０に回転可能に支持されており、中央部に設けられている長穴部１４ａに対してストロボケース５に設けられるガイドピン１５が移動可能に勘合している。前述のようにストロボユニット２はバネ１１により発光位置方向に付勢されており、ストロボユニット２が発光位置に移動する際に、ガイドピン１５がガイドアーム１４の長穴部１４ａの穴端まで移動することで、ストロボユニット２を発光位置に固定するよう機能する。
【００２９】
赤目軽減ランプ２４は、従来例の説明でも述べたように、ストロボ撮影時、つまりストロボユニットが発光位置に位置する状態において、ストロボ発光前に被写体に向けてプリ照射を行って被写体の瞳孔の大きさを絞り、その後にストロボ発光を行わせて撮影を行うように動作することで、赤目現象の低減を図る。
【００３０】
また、本実施例では、赤目軽減ランプ２４を、セルフタイマー撮影時において、ストロボユニット２が発光位置または収納位置に位置するかに係わらず、不図示のレリーズスイッチがオンされると、点滅発光させてセルフタイマー動作を開始したことを表示する。前述のように、ストロボユニット２は収納位置に位置している際でも、被写体側から直接視認可能であるため、ストロボユニット２が発光位置または収納位置に位置するかに係わらず、セルフタイマー動作を表示することが可能なのである。
【００３１】
尚、これまではストロボユニット内に配置するストロボ発光管と異なる発光部として、赤目軽減ランプを用いて説明してきたが、ＡＦ動作を行う際の補助光ランプを用いることも勿論可能である。
【００３２】
【発明の効果】
請求項１に示す本発明は、カメラ本体に対して、収納位置と発光位置とに移動可能に支持されるストロボユニット内に、直径方向寸法よりも中心軸方向寸法が大きい略円筒形状のストロボ発光管を有するストロボ内蔵式カメラにおいて、直径方向寸法よりも中心軸方向寸法が大きい、前記ストロボ発光管とは異なる略円筒形状の発光部を、前記ストロボ発光管の中心軸方向と該発光部の中心軸方向が略平行となるように設けたことにある。本発明のストロボユニットによれば、略円筒形状のストロボ発光管と、略円筒形状のストロボ発光管とは異なる発光部を略平行に設けたことにより、効率良く配置することが可能となり、ストロボユニットの小型化を実現することが可能となる。
【００３３】
請求項２に示す発明は、前記カメラ本体に対して前記ストロボユニットは所定の軸を中心とした回転運動を行って収納位置と発光位置との移動が可能であり、前記所定の軸と、前記ストロボ発光管と前記発光部の中心軸方向が略平行に配置されていることを特徴としている。本発明のストロボユニットによれば、回転移動するストロボユニットの幅方向の小型化とデザインの自由度を増すことが可能となる。
【００３４】
請求項３に示す発明は、撮影光束を接眼部へ導くための光学部材を有し、前記ストロボユニットは前方にストロボパネルを有し、前記ストロボユニットは収納位置において、前記ストロボ発光管と前記発光部とは、前記カメラの全高と略同一の高さの水平面より下方で、前記光学部材と前記ストロボパネルと前記水平面とで囲まれる略三角形の領域に位置することを特徴としている。本発明のストロボユニットによれば、ストロボ発光管と、ストロボ発光管とは異なる発光部を、前記の略三角形の領域に効率良く配置することにより、ストロボユニットの小型化とデザインの自由度を増すことが可能となる。
【００３５】
請求項４に示す本発明は、前記ストロボ発光管は、前記ストロボユニットが発光位置に移動した際に、前記発光部よりも上方に位置することを特徴としている。本発明のストロボユニットによれば、ストロボ発光管をストロボ発光管とは異なる発光部よりも上方の位置で発光させることにより、ストロボ撮影時に発生する赤目現象の低減を図ることが可能となる。
【００３６】
請求項５に示す本発明は、前記ストロボパネルは、前記ストロボユニットが収納位置に移動した際に、被写体側から視認可能に露出していることを特徴としている。本発明のストロボユニットによれば、ストロボパネル内の発光部の発光をカメラ動作の表示として用いる場合において、ストロボユニットが収納位置に移動した際においても、発光部の発光を確認することが可能となる。
【００３７】
請求項６に示す本発明は、前記発光部は、ストロボ撮影時に発生する赤目軽減ランプとして機能することを特徴とする。本発明のストロボユニットによれば、ストロボ撮影時に発生する赤目を低減することが可能となる。
【００３８】
請求項７に示す本発明は、前記発光部は、セルフタイマー撮影時に、セルフタイマー動作を表示することを特徴とする。本発明のストロボユニットによれば、セルフタイマー撮影時において、ストロボユニットが収納位置に移動した際においても、発光部の発光を確認しセルフタイマー動作を確認することが可能となる。
【図面の簡単な説明】
【図１】本発明の一実施例に係わるカメラの正面図。
【図２】図１に示すカメラの側面図。
【図３】図１に示すカメラのストロボユニットの構成を示す斜視図。
【図４】図１に示すカメラのストロボユニットの内部を示す上面図。
【図５】図１に示すカメラのストロボユニットが発光位置に位置している状態の中央縦断面図。
【図６】図１に示すカメラのストロボユニットが発光位置に位置している状態の中央縦断面図。
【図７】従来例に係わるカメラの斜視図である。
【図８】図７に示すカメラのストロボユニットの内部を示す上面図。
【符号の説明】
１　カメラ本体
２　ストロボユニット
３　ストロボカバー
４　ストロボパネル
５　ストロボケース
１０ａ、１０ｂ　支持軸
１１　バネ
１２　緊定フック
１３　取り付け穴
１４　ガイドアーム
１４ａ　長穴部
１５　ガイドピン
２０　ストロボ発光ユニット
２１　キセノン管
２２　ストロボ反射笠
２３　トリガーコイル
２４　赤目軽減ランプ
３０　上カバー
３１　ペンタダハミラー
３２　主ミラー
３３　第３反射面
３４　接眼部
５１　従来例に示すカメラ本体
５２　従来例に示すストロボユニット
５３　従来例に示すストロボカバー
５４　従来例に示すストロボケース
５５　従来例に示すストロボパネル
【図１】
2004102155.tif 000003
【図２】
2004102155.tif 000004
【図３】
2004102155.tif 000005
【図４】
2004102155.tif 000006
【図５】
2004102155.tif 000007
【図６】
2004102155.tif 000008
【図７】
2004102155.tif 000009
【図８】
2004102155.tif 000010